(57)【要約】【課題】超音波診断装置において、超音波画像とグラフィック画像とを合成する場合に、グラフィック画像の位置ずれを解消する。【解決手段】超音波画像に対してテスト用グラフィック画像が合成され、それにより得られた合成画像における第１マーカー及び第２マーカーの位置からグラフィック画像の垂直方向及び水平方向の位置ずれ量が検出される。それらの位置ずれ量に基づいてフレームメモリ１６に対するグラフィック画像の水平方向及び垂直方向の書き込み開始位置が適正に設定される。テスト用グラフィック画像は直交する複数のライン上のマーカーを有するものであってもよい。【選択図】図１
2005304617.tif 000002
【特許請求の範囲】
【請求項１】
グラフィック画像を出力するグラフィック画像出力部と、
超音波画像を出力する超音波画像出力部と、
前記グラフィック画像と前記超音波画像とを合成して表示画像を生成する画像合成部と、
前記グラフィック画像の合成位置を制御する合成位置制御部と、
を含む超音波診断装置において、
前記グラフィック画像出力部は、合成位置調整時に前記グラフィック画像としてテスト画像を出力し、
前記画像合成部は、前記合成位置調整時に前記テスト画像を含む前記表示画像を生成し、
前記合成位置制御部は、
前記合成位置調整時に、前記表示画像に含まれる前記テスト画像の内容から位置ずれ量を検出する位置ずれ検出部と、
前記合成位置調整時に、前記位置ずれ量に基づいて前記グラフィック画像の合成位置を調整する位置調整部と、
を含むことを特徴とする超音波診断装置。
【請求項２】
請求項１記載の装置において、
前記テスト画像は、水平位置ずれ量を検出するための第１マーカーと、垂直位置ずれ量を検出するための第２マーカーと、を含むことを特徴とする超音波診断装置。
【請求項３】
請求項２記載の装置において、
前記位置ずれ検出部は、前記第１マーカー及び前記第２マーカーに基づいて前記水平位置ずれ量と前記垂直位置ずれ量とを検出し、
前記位置調整部は、前記水平位置ずれ量に基づいて前記グラフィック画像の水平合成位置を調整し、前記垂直位置ずれ量に基づいて前記グラフィック画像の垂直合成位置を調整することを特徴とする超音波診断装置。
【請求項４】
請求項１記載の装置において、
前記位置ずれ検出部は、
前記画像合成部の後段に設けられ、前記テスト画像を含む合成画像を格納するフレームメモリと、
前記フレームメモリから読み出される前記合成画像を解析して水平位置ずれ量及び垂直位置ずれ量を検出する手段と、
を含むことを特徴とする超音波診断装置。
【請求項５】
請求項１記載の装置において、
前記位置ずれ検出部は、
前記画像合成部の後段に設けられ、前記テスト画像における第１マーカーを検出する手段と、
前記画像合成部の後段に設けられ、前記テスト画像における第２マーカーを検出する手段と、
前記第１マーカーの検出タイミングでカウント動作が停止されるピクセルカウンタと、
前記第２マーカーの検出タイミングでカウント動作が停止されるラインカウンタと、
を含み、
前記ピクセルカウンタにおけるカウント動作停止時のカウント値が水平位置ずれ量として用いられ、前記ラインカウンタにおけるカウント動作停止時のカウント値が垂直位置ずれ量として用いられることを特徴とする超音波診断装置。
【請求項６】
請求項１記載の装置において、
前記合成位置調整時に、前記超音波画像出力部は実質的に画像を出力を停止し、あるいは、一定輝度画像を出力することを特徴とする超音波診断装置。
【発明の詳細な説明】
【技術分野】
【０００１】
本発明は超音波診断装置に関し、特にグラフィック画像の表示位置の調整に関する。
【背景技術】
【０００２】
超音波診断装置においては、一般に、受信信号に基づいて形成される超音波画像と、ソフトウエア処理によって生成されたグラフィック画像とが合成され、その合成された画像が表示画面上に表示される。超音波画像としては、二次元断層画像、三次元画像、カラーフローマッピング画像（カラードプラ画像）などが周知である。グラフィック画像は、例えば、周波数情報、患者情報など表すテキストデータ、スケールバー、カラーバー、ボディマークなどを含む図形データ、アイコン、ウインドウ枠などを有する。グラフィック画像は、ホストＣＰＵによって生成され、あるいは、グラフィック画像生成用プロセッサによって生成される。なお、特許文献１には、汎用表示装置における表示調整技術が記載されている。
【０００３】
【特許文献１】特開平８−２６３０３２号公報
【発明の開示】
【発明が解決しようとする課題】
【０００４】
超音波診断装置の設計時、出荷検査時あるいはメンテナンス時においては、グラフィック画像の表示位置を確認、調整する必要がある。特に、グラフィック画像生成用のプロセッサを当初選定時のものとは別の仕様をもったものに交換して使用する場合には、設計通りの表示位置を実現できないこともある。そのような場合には、超音波診断装置の表示動作を調整する必要がある。しかし、従来、実際にグラフィック画像を表示させて目視判断によりその表示位置をマニュアルで修正すると、非常に煩雑であり、また信頼性を保証できない場合もあり得る。
【０００５】
本発明の目的は、グラフィック画像を適正な表示位置で表示できるようにすることにある。
【０００６】
本発明の他の目的は、グラフィック画像の表示位置の調整を自動化して人的労力を排除、軽減することにある。
【課題を解決するための手段】
【０００７】
本発明は、グラフィック画像を出力するグラフィック画像出力部と、超音波画像を出力する超音波画像出力部と、前記グラフィック画像と前記超音波画像とを合成して表示画像を生成する画像合成部と、前記グラフィック画像の合成位置を制御する合成位置制御部と、を含む超音波診断装置において、前記グラフィック画像出力部は、合成位置調整時に前記グラフィック画像としてテスト画像を出力し、前記画像合成部は、前記合成位置調整時に前記テスト画像を含む前記表示画像を生成し、前記合成位置制御部は、前記合成位置調整時に、前記表示画像に含まれる前記テスト画像の内容から位置ずれ量を検出する位置ずれ検出部と、前記合成位置調整時に、前記位置ずれ量に基づいて前記グラフィック画像の合成位置を調整する位置調整部と、を含むことを特徴とする。
【０００８】
上記構成によれば、合成位置調整時において、グラフィック画像出力部からグラフィック画像としてテスト画像（リファレンス画像）が出力され、そのテスト画像の合成態様からその位置ずれ量が検出され、その位置ずれ量に基づいてグラフィック画像の合成位置が適正な位置に補正される。よって、目視観察によって合成位置を調整する場合よりも、位置補正精度を向上でき、またユーザーの負担を軽減、解消できる。
【０００９】
テスト画像は上記のように位置ずれ量を検出するための固有のイメージをもった画像として構成されるのが望ましく、特に水平方向の位置ずれ量及び垂直方向の位置ずれ量を精度よく検出できるようにその内容を定めるのが望ましい。テスト画像は少なくとも１種類用意されるが、複数のテスト画像を用意しておいて状況に応じて選択利用してもよいし、水平方向用のテスト画像と垂直方向用のテスト画像とを別々に用意してもよい。位置ずれの補正は、グラフィック画像を書き込むフレームメモリの書き込みアドレスあるいは書き込み開始時点を制御することにより行うようにしてもよいし、そのフレームメモリからグラフィック画像を読み出す際のアドレスあるいは読み出し開始時点を制御することにより行うようにしてもよい。書き込みアドレスあるいは書き込みタイミングの制御によれば、超音波画像とグラフィック画像の同期読み出し制御に影響を与えないので簡便である。
【００１０】
上記構成において、グラフィック画像出力部は、グラフィック画像生成部の内部又は外部に設けられたフレームメモリであるのが望ましく、超音波画像出力部はスキャンコンバータの内部又はその外部に設けられたフレームメモリであるのが望ましい。画像合成部は、ハードウエア回路として構成され、あるいはソフトウエア処理として構成される。位置ずれ量の検出及びそれに基づく補正は、それぞれ、ハードウエア回路によりあるいはソフトウエア処理により実行される。
【００１１】
望ましくは、前記テスト画像は、水平位置ずれ量を検出するための第１マーカーと、垂直位置ずれ量を検出するための第２マーカーと、を含む。第１マーカーは、例えば、１又は複数の垂直ラインであってもよく、第２マーカーは例えば１又は複数の水平ラインであってもよい。各マーカーをラインで構成する場合、ライン上の１又は複数の位置において位置ずれ量が検出される。第１マーカー及び第２マーカーがテスト画像に同時に含まれる場合、相互干渉つまり誤認識を防止するために、テスト画像の内容が適切なものとして構成されるのが望ましく、また、検出位置についても適切な位置に設定されるのが望ましい。
【００１２】
望ましくは、前記位置ずれ検出部は、前記第１マーカー及び前記第２マーカーに基づいて前記水平位置ずれ量と前記垂直位置ずれ量とを検出し、前記位置調整部は、前記水平位置ずれ量に基づいて前記グラフィック画像の水平合成位置を調整し、前記垂直位置ずれ量に基づいて前記グラフィック画像の垂直合成位置を調整する。
【００１３】
望ましくは、前記位置ずれ検出部は、前記画像合成部の後段に設けられ、前記テスト画像を含む合成画像を格納するフレームメモリと、前記フレームメモリから読み出される前記合成画像を解析して水平位置ずれ量及び垂直位置ずれ量を検出する手段と、を含む。このフレームメモリは、既存の構成に付加するようにしてもよいし、画像合成部あるいは他のモジュールに設けられるフレームメモリを流用してもよい。
【００１４】
望ましくは、前記位置ずれ検出部は、前記画像合成部の後段に設けられ、前記テスト画像における第１マーカーを検出する手段と、前記画像合成部の後段に設けられ、前記テスト画像における第２マーカーを検出する手段と、前記第１マーカーの検出タイミングでカウント動作が停止されるピクセルカウンタと、前記第２マーカーの検出タイミングでカウント動作が停止されるラインカウンタと、を含み、前記ピクセルカウンタにおけるカウント動作停止時のカウント値が水平位置ずれ量として用いられ、前記ラインカウンタにおけるカウント動作停止時のカウント値が垂直位置ずれ量として用いられる。
【００１５】
望ましくは、前記合成位置調整時に、前記超音波画像出力部は実質的に画像を出力を停止し、あるいは、一定輝度画像を出力する。前者の場合には、ゼロ信号を出力するようにしてもよいし、完全に出力を停止させてもよい。後者の場合には例えば画像全体が一定輝度とされ、上記のテスト画像を区別して明確に認識できるようにする。
【発明の効果】
【００１６】
以上説明したように、本発明によれば、グラフィック画像を適正な表示位置で表示できる。本発明によれば、グラフィック画像の表示位置の調整を自動化して人的労力を排除、軽減できる。
【発明を実施するための最良の形態】
【００１７】
以下、本発明の好適な実施形態を図面に基づいて説明する。
【００１８】
図１には、本発明に係る超音波診断装置の好適な実施形態が示されており、図１はその全体構成を示すブロック図である。
【００１９】
プローブ１０は体表面上に当接して用いられ、あるいは体腔内に挿入して用いられる超音波探触子である。このプローブ１０は送受波器として機能し、プローブ１０内には複数の振動素子からなるアレイ振動子が設けられる。そのアレイ振動子によって超音波ビームが形成され、その超音波ビームは電子走査される。その電子走査方式としては、電子セクタ走査、電子リニア走査などをあげることができる。プローブ１０内に複数の振動素子を二次元配列してなる２Ｄアレイ振動子を設け、それを用いて三次元エコーデータを取り込むようにしてもよい。
【００２０】
送受信部１２は、送信ビームフォーマー及び受信ビームフォーマーとして機能する。すなわち、送受信部１２から、複数の振動素子に対して複数の送信信号が供給され、一方、複数の振動素子から出力される複数の受信信号は送受信部１２において整相加算処理される。この送受信部１２はいわゆるデジタルビームフォーマーとして構成されており、各チャンネルの受信信号はＡ／Ｄ変換処理された後に整相加算されている。
【００２１】
整相加算後の受信信号は図示されていない信号処理部を介してＤＳＣ（デジタルスキャンコンバータ）１４へ出力される。ＤＳＣ１４は、周知のように、座標変換機能、補間処理機能などを有している。すなわち、ＤＳＣ１４は、順次入力されるエコーデータに基づいて超音波画像を形成し、その画像データを出力する。ここで、超音波画像としては、Ｂモード画像（二次元断層画像）、三次元画像、カラードプラ画像などである。形成された画像データは、ＤＳＣ１４内に含まれているフレームメモリ上に格納され、後述する制御部２４の制御によって読み出されて、その画像データ１０３が合成部１８へ出力される。１フレームを構成する画像データはいわゆるラスタースキャンによって読み出されている。
【００２２】
合成部１８は、ＤＳＣ１４から出力される超音波画像の画像データ１０３と、後述するフレームメモリ１６から出力されるグラフィック画像の画像データ１０５とを合成して、これによって合成画像の画像データ１０６を生成する。ここで、グラフィック画像には、例えばスケールバー、テキストデータ、その他の各種のグラフィックやテキストなどのイメージが含まれるものである。合成部１８から出力される合成画像つまり表示画像の画像データ１０６は映像信号出力部２０を介して表示部２２に出力される、映像信号出力部２０は例えばＤ／Ａ変換器などを有しており、合成画像の画像データを映像信号に変換して表示部２２へ出力している。表示部２２上にはグラフィック画像が合成された超音波画像が表示される。
【００２３】
制御部２４は、図１に示される各構成の動作制御を行っており、この制御部２４は、ＣＰＵ及びその動作プログラムを含み、更に必要なグラフィックデバイスなどを有するものである。制御部２４は、図１に機能ブロック図として示されるように、グラフィック画像生成部３０、ずれ検出部３４、メモリコントローラ３６、補正実行判定部４０などを有している。更に、ＤＳＣ１４からの画像データの読み出しを制御するモジュールなども有しているが、それについては図示省略されている。
【００２４】
グラフィック画像生成部３０は、上述のように、超音波画像に合成するグラフィック画像を生成し、その画像データ１０４をフレームメモリ１６へ出力している。フレームメモリ１６上にはそのようなグラフィック画像の画像データが一旦格納され、その画像データは読み出されて合成部１８へ出力される。本実施形態において、グラフィック画像生成部３０は、グラフィック画像の位置を調整する段階において、テスト用グラフィック画像３２をフレームメモリ１６へ格納する。このテスト用グラフィック画像３２については後に図２などを用いて説明するが、そのようなテスト用グラフィック画像３２を用いることにより合成部１８から出力される合成画像の内容を参照して超音波画像に対するグラフィック画像の位置ずれ量を自動的に検知することが可能である。テスト用グラフィック画像３２は上記のようにフレームメモリ１６へ格納される他、位置ずれの検出のためにずれ検出部３４に対しても出力されている。それが符号１０８で表されている。
【００２５】
ずれ検出部３４は、合成部１８の後段に設けられたフレームメモリ２６から出力される画像データ１０７を参照し、また同時に、テスト用グラフィック画像３２を参照し、それらの両画像の対比からグラフィック画像について水平方向及び垂直方向の位置ずれ量を演算する。その位置ずれ量はメモリコントローラ３６へ送られており、具体的には、メモリコントローラ３６内に設けられた表示位置補正部３８に出力されている。
【００２６】
メモリコントローラ３６は、フレームメモリ１６に対する書き込み制御及び読み出しの制御を行っている。すなわち、フレームメモリ１６に対してグラフィック画像を書き込む際においては、その書き込みタイミングあるいは書き込み位置（アドレス）の制御を行っている。この場合に、表示位置補正部３８は、ずれ検出部３４によって検出されたずれ量に基づいて、書き込み開始位置が適正になるように書き込みポインタあるいは書き込みスタートタイミングの制御を行っている。これについては後に詳述する。いずれにしても、ずれ量に基づいてグラフィック画像の表示位置を補正することにより、超音波画像に対して適正な位置をもってグラフィック画像を合成することが可能となる。特に、本実施形態においては、そのような合成位置の補正がフレームメモリ１６へのグラフィック画像の書き込み時点において行われており、ＤＳＣ１４及びフレームメモリ１６から超音波画像及びグラフィック画像の各画像データを読み出す際に特別な制御を行う必要はない。
【００２７】
制御部２４は上述のようにＤＳＣ１４からの画像データの読み出し制御を行っており、その制御信号が符号１００によって表されている。またフレームメモリ１６に対する書き込み及び読み出しの制御信号が符号１０２によって表されている。ちなみに、ＤＳＣ１４及びフレームメモリ１６に対する読み出し制御信号は共通の信号とするようにしてもよい。ＤＳＣ１４から読み出される画像データ及びフレームメモリ１６から読み出される画像データはいずれもラスタースキャンデータとして読み出されており、合成部１８においては各ピクセルごとに合成処理が実行されている。ちなみに、いずれの画像データもカラー画像データであるのが望ましい。
【００２８】
制御部２４に設けられている補正実行判定部４０は、上記のようなグラフィック画像の位置修正を行う実行タイミングを判定しており、例えばそのタイミングとしては、装置立ち上げ時、メンテナンス時、ユーザーによる実行命令時などをあげることができる。また常に位置ずれを監視し、位置ずれが検出された時点において自動的に位置修正を行うようにしてもよい。
【００２９】
制御部２４には入力部２８が接続されている。この入力部２８はキーボードやトラックボールなどを含む操作パネルによって構成される。
【００３０】
図１に示されるフレームメモリ２６には、上述したように、合成画像の画像データ１０６が格納されるが、このフレームメモリ２６は従来の構成に対して付加されるようにしてもよいし、従来の装置構成上に設けられるフレームメモリを流用するようにしてもよい。例えば合成部１８の内部に出力画像用のフレームメモリが設けられている場合、そのフレームメモリから画像データを読み出してずれ検出部３４に与えるようにしてもよい。また、位置ずれの検出及び表示位置の補正に関する構成は、実際の超音波診断で使われる装置本体外に設けるようにしてもよく、すなわち設計時や装置のメンテナンス時において補正用の装置を超音波診断装置本体に電気的に接続し、それらによってシステムを構成して上記同様の位置補正を行うようにしてもよい。
【００３１】
位置補正時においては、上述したようにＤＳＣ１４及びフレームメモリ１６からそれぞれの画像データが読み出されて合成処理されるが、その場合において、ＤＳＣ１４に対しては実質的に画像の出力を停止させるようにするのが望ましい。すなわちフレームメモリ１６から実際に画像データを出力させ、それだけを合成処理して合成画像を構成するようにしてもよい。ただし、ＤＳＣ１４から画像内容が一定の輝度値をもったダミー画像を出力させ、そのダミー画像とテスト画像を合成するようにしてもよい。いずれにしても、位置検出にあたって超音波画像が悪影響を与えないように超音波画像側に一定の配慮をしておくのが望ましい。
【００３２】
図２には、図１に示したテスト用グラフィック画像の最も単純な一例が示されている。このテスト用グラフィック画像１０８は水平方向の位置ずれを検出するための第１マーカー２００と、垂直方向の位置ずれを検出するための第２マーカー２０２とを有している。各マーカー２００，２０２はいずれもラインイメージであって、図２に示すようにそれらが中央部において直交しており、画像全体としては＋のイメージ内容を有している。
【００３３】
図３には、合成処理後の合成画像すなわちテスト用グラフィック画像を含む合成画像１０６が示されており、超音波画像については上記のように実質的にゼロの輝度を有しているため、合成画像においてはテスト用グラフィック画像の部分のみが浮き上がって表現される。ここで、位置ずれが発生しており、第１マーカー２００についてはそれが右方向にシフトしており（符号２００Ａ参照）、第２マーカー２０２についてもそれが下方にシフトしている（符号２０２Ｂ参照）。すなわち両マーカーの中央点が右下方向にシフトしている。
【００３４】
図１に示したずれ検出部３４は、合成前のテスト用グラフィック画像１０８と合成後の合成画像１０６すなわち合成後のテスト用グラフィック画像とを対比し、図４に示されるように水平方向の位置ずれ量ΔＸ及び垂直方向の位置ずれ量ΔＹを求める。この場合においては各マーカーの位置を検出し、合成の前後におけるマーカーの位置シフト量から位置ずれ量を演算するのが望ましい。そのような演算をより適切に行うため、合成前のテスト用グラフィック画像及び合成後の合成画像のいずれも二値化処理し、これによって検査用のパターンを特定し、それぞれのパターン間におけるずれ量を演算するようにしてもよい。
【００３５】
図５には、ずれ検出及びずれ補正に関する具体的な構成が例示されている。図５に示されるように、ずれ検出部３４はΔＸ演算部４２とΔＹ演算部４４とを有している。いずれの演算部４２，４４も、テスト用グラフィック画像１０８とモニタリングされた合成画像１０７とに基づいて、それらの両画像を対比することにより、ずれ量を演算している。そのずれ量ΔＸ及びΔＹはそれぞれ対応する補正器４６，４８に出力されている。すなわち、図１に示した表示位置補正部３８は、水平方向用の補正器４６と、垂直方向用の補正器４８とを有している。各補正器４６，４８はずれ量が０になるように以下に説明するスタートポインタの値を書き換えている。
【００３６】
ピクセルカウンタ５２は、水平方向のアドレスを順次発生するカウンタであり、すなわちフレームメモリ１６への書き込みに際して各ラインごとに水平方向のアドレス値がピクセルカウンタ５２によって生成される。水平同期信号にしたがってピクセルカウンタ５２がカウントを開始し、そのカウント値と水平スタートポインタ５０から出力される値とが比較器５８で比較され、２つの値が一致した場合に水平方向の書き込みイネーブル信号が生成される。ここで、水平スタートポインタ５０は、デフォルト値あるいは補正器４６によって補正された値がセットされるメモリとして構成され、グラフィックイメージを書き込む際の水平方向の開始点を定めるものである。したがって、デフォルト値を水平スタートポインタとして設定した上で位置ずれの検出を行い、ずれ量に対する水平方向の補正値を求めて、それを水平スタートポインタとしてセットすることにより、各ラインについて適切な書き込み開始点を設定することが可能となる。
【００３７】
これと同様に、ラインカウンタ５６は、垂直同期信号にしたがって、垂直方向の各ラインについてカウントを行い、そのカウント値を比較器６０に出力している。一方、垂直スタートポインタ５４はメモリなどとして構成され、そこにはデフォルト値として一定の垂直方向の書き込み開始点を表す値が格納される。あるいは、補正器４８によって設定された補正値としての書き込み開始点を表す値がセットされる。位置ずれ量の検出時においては、垂直スタートポインタ５４としてデフォルト値が与えられ、その値とラインカウンタ５６から出力される値とが比較器６０において比較され、両値が一致した時点をもって垂直方向の書き込みイネーブル信号が生成される。そして、位置ずれ量に基づいて補正器４８が垂直方向について適切な垂直スタートポインタを設定する。
【００３８】
したがって、水平スタートポインタ及び垂直スタートポインタの両ポインタを位置ずれ量に基づいて適正な値にセットすることにより、それ以降においてはグラフィック画像の合成位置が適正化される。ちなみに、グラフィック画像の先頭の画素値の書き込みタイミングは水平方向及び垂直方向の両方向について書き込みイネーブル信号がアンド条件で与えられた場合に決定される。ちなみに、本実施形態においては例えば１フレームが６００ラインで構成され、１ラインは８００ピクセルで構成される。なお、図５に示す構成例はもちろん一例であって、グラフィック画像の表示位置を適正にできる限りにおいて各種の構成を採用できる。図５に示す例では、書き込みアドレスの制御によりずれ量の補正を行ったが、もちろん読み出しアドレスの制御によって位置ずれを解消するようにしてもよい。
【００３９】
図６には他の実施形態が示されている。なお図１に示す構成と同様の構成には同一符号を付しその説明を省略する。この実施形態においては、制御部２４内にずれ検出部が設けられておらず、ずれ検出部７０が合成部１８の後段に設けられている。合成部１８から出力される合成画像の画像データ１０６はずれ検出部７０に取り込まれる。水平方向検出回路７２は、上記の第１マーカーを検出しており、その検出がなされた時点をもって出力信号を出力している。同様に、垂直方向検出回路７６は、上記の第２マーカーを検出しており、その検出時点をもって出力信号を出力している。
【００４０】
ピクセルカウンタ７４及びラインカウンタ７８は水平同期信号及び垂直同期信号によってリセットされるカウンタであり、各検出回路７２，７６から出力信号が与えられると、その時点におけるカウント値がそのまま保持される。その時点におけるカウンタ７４，７８のカウント値はそれぞれ位置ずれ量であるΔＸ，ΔＹを表すものである。そのような位置ずれ量の情報は制御部２４内に設けられた表示位置補正部３８へ出力される。メモリコントローラ３６が有する位置補正のための構成については図５に示したものと同様である。
【００４１】
上記実施形態によれば、画像の目視観察によってグラフィック画像の位置補正を行うのではなく、自動的にその補正を行うことができるので、簡便であると共に精度の良い補正を行えるという利点がある。なお、上記実施形態においては水平方向と垂直方向の両方向の位置ずれ量が単一のテスト画像によって検出されていたが、それぞれの方向ごとにテスト画像を用意し、それぞれの方向ごとに位置ずれ量を順次求めるようにしてもよい。また、複数のテスト用画像を用意しておいて、状況に応じてあるいは動作モードに応じて適切なテスト用画像を選択して利用するようにしてもよい。
【図面の簡単な説明】
【００４２】
【図１】本実施形態に係る超音波診断装置の全体構成を示すブロック図である。
【図２】テスト用のグラフィック画像の一例を示す図である。
【図３】テスト用のグラフィック画像を含む合成画像を示す図である。
【図４】合成前後における位置ずれ量を説明するための図である。
【図５】位置ずれ量の検出及び補正を説明するためのブロック図である。
【図６】他の実施形態に係る超音波診断装置の構成を示すブロック図である。
【符号の説明】
【００４３】
１４  ＤＳＣ、１６  フレームメモリ、１８  合成部、２４  制御部、２６  フレームメモリ、３０  グラフィック画像生成部、３２  テスト用グラフィック画像、３４  ずれ検出部、３６  メモリコントローラ、３８  表示位置補正部。
【図１】
2005304617.tif 000003
【図２】
2005304617.tif 000004
【図３】
2005304617.tif 000005
【図４】
2005304617.tif 000006
【図５】
2005304617.tif 000007
【図６】
2005304617.tif 000008